(57)【要約】【課題】  同一の放送内容を送信する信号波が複数存在し、これら複数の信号波から受信感度の良好な希望波を選択して受信する際、簡単な構成で、希望波を選択して良好な受信動作を行う。【解決手段】  ＲＦレベル検出器３３は、選択された閾値に応じて高周波受信レベルを調整しており、レベル検出器３１ｄ〜３１ｆは信号波毎のレベルを検出して信号波レベル検出値を得る。Ｃ／Ｎ判定部２６ａは信号波毎にそのＣ／Ｎを検出して信号波受信感度としてＣ／Ｎ判定値を出力する。マイコン３２は信号波レベル検出値及びＣ／Ｎ判定値に応じてＲＦレベル検出器に与える閾値を選択して希望波の受信制御を行う。【選択図】        図５
2005278122.tif 000002
【特許請求の範囲】
【請求項１】
周波数を異にする複数の同一内容の信号波の１つを希望波として受信して出力する受信機において、
選択された閾値に応じて高周波受信レベルを調整する受信レベル調整手段と、
前記信号波毎のレベルを検出して信号波レベル検出値を得るレベル検出手段と、
前記信号波毎にその受信感度を検出して信号波受信感度を得る受信感度検出手段と、
前記信号波レベル検出値及び前記信号波受信感度に応じて前記受信レベル調整手段に与える閾値を選択して前記希望波の受信制御を行う制御手段とを有することを特徴とする受信機。
【請求項２】
受信レベル調整手段は、少なくとも可変減衰器と、該周波数変換器の後段に位置する周波数変換器と、該周波数変換器からの出力を受けて高周波受信レベルを判定するとともに、制御手段で選択された閾値に応じて前記可変減衰器の減衰量を調整するレベル検出器とを有し、
前記制御手段は前記高周波受信レベルが予め規定されたレベルよりも小であると、妨害波無しと判定するようにしたこと特徴とする請求項１記載の受信機。
【請求項３】
制御手段は、信号波のうち予め規定された信号波に対応する信号波レベル検出値が大であると、当該信号波を希望波とする受信制御を行うようにしたことを特徴とする請求項１又は請求項２記載の受信機。
【請求項４】
制御手段には、少なくとも二つの閾値が第１及び第２の閾値として設定されて、前記第１の閾値は前記第２の閾値よりも大きく、
前記制御手段は、周波数が低い側に位置する信号波に対応する信号波レベル検出値が小で、周波数が高い側に位置する信号波に対応する信号波レベル検出値が大である際、周波数の高い側に位置する信号波に対応する信号波受信感度が小であると、前記第２の閾値を受信レベル調整手段に与えるようにしたことを特徴とする請求項３記載の受信機。
【請求項５】
制御手段には、少なくとも二つの閾値が第１及び第２の閾値として設定されて、前記第１の閾値は前記第２の閾値よりも大きく、
前記制御手段は、周波数が低い側に位置する信号波に対応する信号波レベル検出値が大で、周波数が高い側に位置する信号波に対応する信号波レベル検出値が小である際、周波数の低い側に位置する信号波に対応する信号波受信感度が小であると、前記第２の閾値を受信レベル調整手段に与えるようにしたことを特徴とする請求項３記載の受信機。
【請求項６】
制御手段には少なくとも二つの閾値が第１及び第２の閾値として設定されて、前記第１の閾値は前記第２の閾値よりも大きく、
前記制御手段は、周波数が低い側に位置する信号波に対応する信号波レベル検出値及び周波数が高い側に位置する信号波に対応する信号波レベル検出値がともに小であると、前記第１の閾値を受信レベル調整手段に与えるようにしたことを特徴とする請求項３記載の受信機。
【請求項７】
制御手段には少なくとも二つの閾値が第１及び第２の閾値として設定されて、前記第１の閾値は前記第２の閾値よりも大きく、
前記制御手段は、周波数が低い側に位置する信号波に対応する信号波レベル検出値及び周波数が高い側に位置する信号波に対応する信号波レベル検出値がともに大であると、前記第１の閾値を受信レベル調整手段に与えるようにしたことを特徴とする請求項３記載の受信機。
【請求項８】
受信感度検出手段は、信号波毎の搬送波対雑音比を計測して信号波受信感度としてＣ／Ｎ判定値を得るようにしたことを特徴とする請求項１から請求項７のうちのいずれか１項記載の受信機。
【請求項９】
受信感度検出手段は、信号波毎のビットエラーレートを求めて信号波受信感度としてＢＥＲ判定値を得るようにしたことを特徴とする請求項１から請求項７のうちのいずれか１項記載の受信機。
【発明の詳細な説明】
【技術分野】
【０００１】
この発明は、隣接する帯域からの妨害波による干渉を除去して所望の電波（希望波）を精度よく受信することのできる受信機に関するものである。
【背景技術】
【０００２】
一般に、受信機では、所望の電波（希望波）を良好に受信する際には、隣接する帯域からの妨害波による干渉を除去する必要がある。例えば、妨害波の近傍周波数に生じる相互変調歪みによって希望波が妨害を受けて受信状態が悪化する事態を防止する必要がある。このため、受信機おいては、一般に自動利得制御（ＡＧＣ）回路を用いて妨害波の干渉を低減するようにしている。
【０００３】
妨害波の干渉を低減するため、広帯域ＡＧＣと狭帯域ＡＧＣとを個別に行って、妨害波のレベルが高くなると、広帯域ＡＧＣによって高周波増幅器の利得を低減し、希望波の電界強度が所定の値よりも大となると、狭帯域ＡＧＣによって中間周波増幅回路の出力電圧を一定のレベルに保持するようにするものがある。
【０００４】
この際、希望波及び妨害波をそれぞれ第１及び第２の基準電圧と比較して検出し、希望波が低レベルで妨害波が高レベルであると、妨害波の検出信号に応じて高周波増幅器に対してＡＧＣ動作を行って、希望波が低レベルの際の混信を防止するようにしている（例えば、特許文献１参照）。
【０００５】
【特許文献１】特開昭６０−１５２１１１号公報（第２頁〜第４頁、第１図〜第４図）
【発明の開示】
【発明が解決しようとする課題】
【０００６】
ところが、従来の受信機は以上のように構成されているので、同一の内容を送信する信号波が複数存在し、これら複数の信号波から受信感度の良好な信号波を選択して希望波として受信する際においては、前述のように、妨害波のレベルが高くなると、広帯域ＡＧＣ動作を行って、高周波増幅器の利得を低減しても、複数の信号波と隣接する妨害波との周波数差が小さいと、複数の信号波全てについて隣接妨害波との相互変調歪みが不可避的に発生することがあり、結果的の信号波のいずれも良好に受信することができないという課題があった。
【０００７】
また、従来の受信機においては、同一の内容を送信する複数の信号波が存在する際に、これら複数の信号波から受信感度の良好な信号波を選択して希望波として受信しようとしても、周波数軸上における隣接妨害波と信号波との関係に応じた利得制御を行って、受信感度が良好な信号波を希望波として選択受信することができないという課題があった。
【０００８】
この発明は上記のような課題を解決するためになされたもので、同一の内容を送信する信号波が複数存在し、これら複数の信号波から受信感度の良好な信号波を選択して希望波として受信する際、簡単な構成で、希望波を選択して良好な受信動作を行うことのできる受信機を得ることを目的とする。
【課題を解決するための手段】
【０００９】
この発明に係る受信機は、周波数を異にする複数の同一内容の信号波の１つを希望波として受信して出力する際、選択された閾値に応じて高周波受信レベルを調整する受信レベル調整手段と、信号波毎のレベルを検出して信号波レベル検出値を得るレベル検出手段と、信号波毎にその受信感度を検出して信号波受信感度を得る受信感度検出手段と、信号波レベル検出値及び信号波受信感度に応じて受信レベル調整手段に与える閾値を選択して希望波の受信制御を行う制御手段とを有することを特徴とするものである。
【発明の効果】
【００１０】
この発明によれば、周波数を異にする複数の同一内容の信号波のうち１つを希望波として受信して出力する際、信号波毎にそのレベルを検出して信号波レベル検出値を得るとともに、信号波毎にその受信感度を検出して信号波受信感度を得て、これら信号波レベル検出値及び信号波受信感度に基づいて受信レベル調整手段に与える閾値を選択するように構成したので、希望波に対する妨害波の影響を最小にすることができるので、簡単な構成で希望波を選択して良好な受信動作を行うことができるという効果がある。
【発明を実施するための最良の形態】
【００１１】
実施の形態１．
ここでは、受信機として、衛星（サテライト）デジタルラジオ放送を受信するラジオ受信機を例にあげて説明する。図１において、衛星デジタルラジオ放送の一つである米国のＳＩＲＩＵＳラジオ放送では、衛星波１及び衛星波２の順にラジオ放送信号（信号波）を送出しており、衛星波１と衛星波２とは同一のラジオ放送番組内容を放送している。そして、これら衛星波１及び衛星波２は周波数軸上に順次配列されている。また、ＳＩＲＩＵＳラジオ放送においては、ビル等の受信妨害に対処するため、衛星波１と衛星波２との間の帯域に地上波が位置づけられている。
【００１２】
図１においては、ＳＩＲＩＵＳラジオ放送よりも高い周波数側に、ＳＩＲＩＵＳラジオ放送に隣接して、ＸＭラジオ放送が割り当てられており、このＸＭラジオ放送では、例えば、衛星波１Ａ、衛星波２Ａ、地上波Ａ、地上波Ｂ、衛星波２Ｂ、衛星波１Ｂの順に周波数帯域が割り当てられており、後述するように、地上波Ａ及びＢが、ＳＩＲＩＵＳラジオ放送に対して妨害波として作用することがある。
【００１３】
なお、実施の形態１においては、ＳＩＲＩＵＳ衛星波が信号波であり、ＸＭ地上波が妨害波である。そして、ＳＩＲＩＵＳ衛星波において、衛星波１及び衛星波２では同一の放送内容を送信しており、衛星波１及び衛星波２のいずれか一方が受信できればよいことなる。
【００１４】
例えば、ＳＩＲＩＵＳ衛星波を受信している際に、ＸＭ地上波の受信レベルが大きいと、つまり、高周波（ＲＦ）段の利得が大きいと、ラジオ受信機内、特に、低雑音増幅器（ＬＮＡ：Ｌｏｗ  Ｎｏｉｓｅ  Ａｍｐｌｉｆｉｅｒ）又は周波数変換器（Ｄ／Ｃ：Ｄｏｗｎ  Ｃｏｎｖｅｒｔｅｒ）において、ＸＭ地上波の近傍周波数に相互変調歪みが生じて、図２に示すように、結果的にＳＩＲＩＵＳ衛星波がＸＭ地上波に妨害されて、ＳＩＲＩＵＳ衛星波の受信状態が悪化してしまう。従って、上述のＳＵＲＩＵＳ衛星波（衛星波１又は２）を良好に受信するためには、特に、ＸＭ地上波の妨害を防ぐ必要がある。
【００１５】
このような相互変調歪みを改善するため、図３に示すように、ＲＦ段にＡＧＣ回路を設けることが行われている。図示のＡＧＣ回路は可変減衰器１１及びＲＦレベル検出器１２を有しており、アンテナ１３からの入力信号（ＲＦ信号）が可変減衰器１１を介してＬＮＡ１４に与えられ、ＬＮＡ１４の出力はＤ／Ｃ１５を介してＲＦ段から出力される。
【００１６】
Ｄ／Ｃ１５の出力はＲＦレベル検出器１２に与えられて、ＲＦレベル検出器１２ではＤ／Ｃ１５の出力レベルが大きく、予め設定された閾値レベル（閾値）を越えると、可変減衰器１１の減衰量を調整して、ＲＦ段における利得を低下させる。
【００１７】
このようにして、Ｄ／Ｃ１５の出力レベルが閾値レベルを越えると、ＲＦ段の利得を低減する結果、妨害波に起因する相互変調歪みは低減するものの、同時に衛星波１及び２の搬送波対雑音比（Ｃ／Ｎ）も低減してしまい、相互変調歪みを低減させるとともに、衛星波１及び２のＣ／Ｎの低減を阻止することが難しい。
【００１８】
なお、図１においては、ＳＩＲＩＵＳラジオ放送よりも高周波数側にＸＭラジオ放送が位置しているが、ＳＩＲＩＵＳラジオ放送よりも低周波数側に他のラジオ放送が位置している場合もある。そして、この実施の形態１においては、後述するようにして、妨害波が信号波（ＳＩＲＩＵＳラジオ放送）よりも周波数の高い側に位置するか周波数の低い側に位置するかを検出して、複数の信号波の中で最も受信感度のよい信号波を希望波とし、希望波に対する妨害波の影響を最小にすることになる。
【００１９】
上述の説明では、衛星波を受信する際の妨害波の干渉について説明したが、衛星波に限らず、ラジオ放送等の電波を受信する場合において、複数の信号波が同一の内容を送信し、周波数軸上にこれら信号波が順次配列された希望波を受信する際においても、複数の信号波の中で最も受信感度のよい信号波を希望波とし、希望波に対する妨害波の影響を最小にすることになる。
【００２０】
ここで、図４を参照して、実施の形態１に係るラジオ受信機２０は、ＲＦ用ＢＰＦ（帯域通過フィルタ）２１を備えており、アンテナ（ＡＮＴ）２２で受信した電波（例えば、ＳＩＲＩＵＳ衛星波（衛星波１及び衛星波２と地上波）は、ＲＦ用ＢＰＦ２１でフィルタリングされて、ＬＮＡ部２３で増幅された後、Ｄ／Ｃ２４で中間周波（ＩＦ）信号に変換される。その後、このＩＦ信号は、Ａ／Ｄコンバータ（ＡＤＣ）部２５でデジタル信号に変換されて、復調・信号処理部（ＤＥＭ）２６において、復調処理されるとともに後述する信号処理が行われる。
【００２１】
ＤＥＭ２６で復調処理された信号（復調信号）は、Ｄ／Ａコンバータ（ＤＡＣ）２７でアナログ信号とされ、増幅器（ＡＭＰ）２８で増幅された後、音声又は音響としてスピーカ（ＳＰ）２９から出力される。
【００２２】
図５を参照すると、ラジオ受信機２０には、レベル検出部３１及びマイクロコンピュータ（マイコン）３２が備えられており、ＤＥＭ２６には信号処理機能としてＣ／Ｎ判定部２６ａ及びＩＦ自動利得制御回路（ＩＦＡＧＣ）２６ｂが備えられている。図４には示されていないが、図５において、ラジオ受信機２０にはＲＦレベル検出器３３が備えられ、図５に示す例では、図４に示すＬＮＡ部２３が可変減衰器２３ａ及びＬＮＡ２３ｂを備え、ＡＤＣ部２５がＩＦ用ＢＰＦ２５ａ、可変増幅器２５ｂ、及びＡＤＣ２５ｃを有している。
【００２３】
可変減衰器２３ａ、ＬＮＡ２３ｂ、及びＤ／Ｃ２４によってＲＦ段が構成され、ＲＦレベル検出器３３では、Ｄ／Ｃ２４の出力（ＩＦ信号）を受けてＩＦレベルを検出して、マイコン３２から設定される閾値に基づいて可変減衰器２３ａの減衰量を調整する。また、ＲＦレベル検出器３３では検出したＩＦレベルをマイコン３２に与える。
【００２４】
また、図５に示す例では、レベル検出部３１は第１〜第３のＢＰＦ３１ａ〜３１ｃを有しており、これら第１〜第３のＢＰＦ３１ａ〜３１ｃはそれぞれ衛星波１、衛星波２、及び地上波に対応しており、これら衛星波１、衛星波２、及び地上波の帯域通過を許す。そして、第１〜第３のＢＰＦ３１ａ〜３１ｃにはそれぞれ第１〜第３のレベル検出器３１ｄ〜３１ｆが接続され、第１〜第３のレベル検出器３１ｄ〜３１ｆは衛星波１、衛星波２、及び地上波の受信レベルを検出しており、これら第１〜第３のレベル検出器３１ｄ〜３１ｆから出力されるレベル検出値はマイコン３２に与えられる（以下第１〜第３のレベル検出器３１ｄ〜３１ｆから出力されるレベル検出値をそれぞれ第１〜第３のレベル検出値と呼ぶ）。
【００２５】
また、Ｃ／Ｎ判定部２６ａでは衛星１、衛星２、及び地上波毎にそのＣ／Ｎレベルを判定して、それぞれ第１〜第３のＣ／Ｎ判定値をマイコン３２に与える（ここでは、衛星波１、衛星波２、地上波のＣ／Ｎ値レベルを判定することは、それぞれ、衛星波１、衛星波２、地上波の受信感度を判定することを意味する）。そして、後述するようにして、マイコン３２では、ＲＦレベル検出器３３に与える閾値を変化させる。なお、ＩＦＡＧＣ２６ｂでは可変増幅器２５ｂの増幅レベルを設定する。
【００２６】
次に動作について説明する。
図５及び図６を参照して、マイコン３２には閾値として第１及び第２の閾値Ｔｈ１及びＴｈ２（第１の閾値Ｔｈ１＞第２の閾値Ｔｈ２）が設定されており、ラジオ受信機２０がオンされると、マイコン３２では、ＩＦレベルが予め規定されたレベルよりも大きいか否かを判定して（Ｄ／Ｃ出力大か：ステップＳＴ１）、ＩＦレベルが予め規定されたレベルよりも小さいと、妨害波の干渉は少ない（妨害波無し）と判断して（ステップＳＴ２）、ラジオ受信機２０を現状の状態に維持する。
【００２７】
一方、ステップＳＴ１において、ＩＦレベルが予め規定されたレベル以上であると、マイコン３２は第３のレベル検出値が大きいか否かを判定し（ステップＳＴ３）、第３のレベル検出値が大きいと、ＳＩＲＵＩＳラジオ放送の地上波（予め規定された信号波）の受信レベルが大であると判断して（ステップＳＴ４）、ラジオ受信機２０を現状の状態に維持する地上波を受信する）。
【００２８】
ステップＳＴ３において、第３のレベル検出値が大きくないと（つまり、小さいと）、マイコン３２は妨害波が大であるとして、第１のレベル検出値が小であるか否かを判定する（ステップＳＴ５）。そして、第１のレベル検出値が小であると（衛星波１のレベルが小であると）、マイコン３２は第２のレベル検出値が大であるか否かを判定する（ステップＳＴ６）。
【００２９】
そして、ステップＳＴ６において、第２のレベル検出値が大であると（衛星波２のレベルが大であると）、マイコン３２では第２のＣ／Ｎ判定値が小であるかを判定し（ステップＳＴ７）、第２のＣ／Ｎ判定値が小であると、マイコン３２はＳＩＲＵＩＳラジオ放送波よりも周波数の高い側に妨害波が位置すると判断して、第２の閾値を選択してＲＦレベル検出器３３に第２の閾値を与える（ステップＳＴ８）。
【００３０】
マイコン３２がＳＩＲＵＩＳラジオ放送波よりも周波数の高い側に妨害波が位置すると判断した際には、例えば、図７に示すように、線分Ｍ１で示すように、ＳＩＲＩＵＳラジオ放送波は、ＸＭラジオ放送波の地上波Ａ及びＢによって妨害されていると判断され、ＲＦレベル検出器３３に第２の閾値Ｔｈ２を与えると、ＲＦレベル検出器３３ではＩＦ信号のレベル（ＩＦレベル）と第２の閾値Ｔｈ２とを比較して、ＩＦレベルが第２の閾値Ｔｈ２よりも大きいと、ＩＦレベルが第２の閾値Ｔｈ２以下となるように可変減衰器２３ａの減衰量を調整する。
【００３１】
図７に示すように、第１の閾値Ｔｈ１が選択されていた際には、ＸＭラジオ放送波の地上波Ａ及びＢは、破線で示す受信レベルＬ１まで抑制されるものの、ＸＭラジオ放送波の地上波Ａ及びＢはＳＩＲＩＵＳラジオ放送波の衛星波２を完全に妨害し、衛星波１も妨害された状態にある。ここで、衛星波１のレベルが小さい場合には衛星波２が希望波となるが、衛星波２は妨害波の影響が大きい為、受信復調が難しい。
【００３２】
このため、前述のように、第２の閾値Ｔｈ２を選択すると、ＸＭラジオ放送波の地上波Ａ及びＢは、実線で示す受信レベルＬ２まで抑制され、線分Ｍ２で示すように、地上波Ａ及びＢによる衛星波２への妨害は低くなり、衛星波２を希望波とすれば、希望波を良好に受信復調することができる。
【００３３】
一方、ステップＳＴ５において、第１のレベル検出値が小でないと（つまり、大であると）、マイコン３２は第２のレベル検出値が小であるか否かを判定する（ステップＳＴ９）。そして、第２のレベル検出値が小であると、マイコン３２は第１のＣ／Ｎ判定値が小であるか否かを判定し（ステップＳＴ１０）、第１のＣ／Ｎ判定値が小であると、マイコン３２はＳＩＲＵＩＳラジオ放送波よりも周波数の低い側に妨害波が存在すると判断して、ステップＳＴ８において第２の閾値Ｔｈ２を選択してＲＦレベル検出器３３に第２の閾値Ｔｈ２を与える。
【００３４】
ＳＩＲＵＩＳラジオ放送波よりも周波数の低い側に妨害波が存在する際にも、第２の閾値Ｔｈ２を選択すると、その妨害波の受信レベルは下がる結果、今度はＳＩＲＵＩＳラジオ放送波の衛星波１に対する妨害波の影響が低くなり、衛星波１を良好に受信復調することができる。
【００３５】
ステップＳＴ６において、第２のレベル検出値が大でないと（つまり、小であると）、マイコン３２は第１の閾値Ｔｈ１を選択する（ステップＳＴ１１）。つまり、この場合には、第１及び第２のレベル検出値がともに小であるから、第１の閾値Ｔｈ１を選択して、妨害波にかかわらず、ＳＩＲＩＵＳラジオ放送波の衛星波１及び２の受信レベルを上げることになる。また、ステップＳＴ９において、第２のレベル検出値が大であると、マイコン３２は第１の閾値Ｔｈ１を選択する。つまり、この場合には、第１及び第２のレベル検出値がともに大であるから、第１の閾値Ｔｈ１を選択して、受信レベルを大きくする。
【００３６】
また、ステップＳＴ７において、第２のＣ／Ｎ判定値が小でないと（つまり、大であると）、マイコン３２はラジオ受信機２０を現状の状態に維持し、同様に、ステップＳＴ１０において、第１のＣ／Ｎ判定値が小でないと（つまり、大であると）、マイコン３２はラジオ受信機２０を現状の状態に維持する。
【００３７】
上述の説明から明らかなように、ＲＦレベル検出器３３が受信レベル調整手段として機能し、レベル検出部３１がレベル検出手段として機能する。そして、Ｃ／Ｎ判定部２６ａが受信感度検出手段として機能し、マイコン３２が制御手段として機能することになる。
【００３８】
図８を参照すると、ここでは、図５に示す構成要素については同一の参照番号が付されている。図示の例では、デジタルシグナルプロセッサ（ＤＳＰ）４１を有して、このＤＳＰ４１にはＡＤＣ２５ｃからデジタル化されたＩＦ信号が入力される。そして、このＤＳＰ４１によって第１〜第３のＢＰＦ３１ａ〜３１ｃ及び第１〜第３のレベル検出器３１ｄ〜３１ｆの機能が実現される。なお、動作は図５及び図６で説明したようにして動作するので、ここでは説明を省略する。
【００３９】
さらに、図９に示すように、図５に示したＣ／Ｎ判定部２６ａの代わりに、ＤＥＭ２６にビットエラーレート（ＢＥＲ）判定部４２を用いるようにしてもよい。この際には、ＢＥＲ判定部４２では、ＳＩＲＩＵＳラジオ放送の衛星波１、衛星波２、及び地上波についてＢＥＲを計測して、それぞれ第１〜第３のＢＥＲ判定値を得て、これら第１〜第３のＢＥＲ判定値をマイコン３２に与える。ここでは、衛星波１、衛星波２、及び地上波についてＢＥＲ判定値を計測することは、その受信感度を判定することを意味する。
【００４０】
そして、図９に示すラジオ受信機２０では、図５及び図６で説明したように動作することになるが、この際、マイコン３２では、第１及び第２のＣ／Ｎ判定値の代わりに第１及び第２のＢＥＲ判定値を用いて第１及び第２の閾値Ｔｈ１及びＴｈ２のいずれか一方を選択することになる。
【００４１】
なお、図８に示す例においても、Ｃ／Ｎ判定部２６ａの代わりにＢＥＲ判定部４２を用いてもよいことはいうまでもない。
【００４２】
以上のように、この実施の形態１によれば、同一の放送内容を有する複数の信号波を備える放送波を受信する際、各信号波のレベル検出値を得るとともに、各信号波のＣ／Ｎ判定値を得て、これらレベル検出値及びＣ／Ｎ判定値に応じて妨害波が放送波の近傍に存在するか否かを判定して、妨害波が存在すると、希望波に対する妨害波の影響を最小にすることにより、良好に希望波の受信復調を行うことができるという効果がある。
【００４３】
この実施の形態１によれば、Ｃ／ＮからのＩＦ信号のレベルが小である際には、妨害波の受信レベルが低く妨害波がないと判定するようにしたから、簡単な構成で妨害波の存在を判定できるという効果がある。
【００４４】
この実施の形態１によれば、最も周波数の低い信号波のレベル検出値である第１のレベル検出値が小で、最も周波数の高い信号波のレベル検出値である第２のレベル検出値が大である際、最も周波数の高い信号波のＣ／Ｎ判定値である第２のＣ／Ｎ判定値が小であると、妨害波が放送波よりも周波数の高い側に存在すると判定して、閾値を下げるようにしたので、妨害波に最も近い周波数（即ち希望波）に対する妨害波の影響が小さくなり、良好に希望波の受信復調を行うことができるという効果がある。
【００４５】
この実施の形態１によれば、最も周波数の低い信号波のレベル検出値である第１のレベル検出値が大で、最も周波数の高い信号波のレベル検出値である第２のレベル検出値が小である際、最も周波数の低い信号波のＣ／Ｎ判定値である第１のＣ／Ｎ判定値が小であると、妨害波が放送波よりも周波数の低い側に存在すると判定して、閾値を下げるようにしたので、妨害波に最も近い周波数（即ち希望波）に対する妨害波の影響が小さくなり、良好に希望波の受信復調を行うことができるという効果がある。
【図面の簡単な説明】
【００４６】
【図１】複数の衛星デジタルラジオ放送の周波数軸上での配列の一例を示す図である。
【図２】所望のラジオ放送波が妨害波による干渉を受ける際の一例を示す図である。
【図３】妨害波による相互変調歪みを改善するための高周波段の回路構成の一例を示す図である。
【図４】この発明の実施の形態１による受信機を示す構成図である。
【図５】図４に示す受信機の一例を詳細に示すブロック図である。
【図６】図５に示す受信機の動作を説明するためのフローチャートとである。
【図７】図５に示す受信機における妨害波の影響を低減した状態を示す図である。
【図８】図４に示す受信機の他の例を詳細に示すブロック図である。
【図９】図４に示す受信機のさらに他の例を詳細に示すブロック図である。
【符号の説明】
【００４７】
１１  可変減衰器、１２  ＲＦレベル検出器、１３  アンテナ、１４  ＬＮＡ、１５  Ｄ／Ｃ、２０  ラジオ受信機、２１  ＲＦ用ＢＰＦ、２２  アンテナ、２３  低雑音増幅器（ＬＮＡ）部、２３ａ  可変減衰器、２３ｂ  ＬＮＡ、２４  周波数変換器（Ｄ／Ｃ）、２５  Ａ／Ｄコンバータ（ＡＤＣ）部、２５ａ  ＩＦ用ＢＰＦ、２５ｂ  可変増幅器、２５ｃ  ＡＤＣ、２６  復調・信号処理部（ＤＥＭ）、２６ａ  Ｃ／Ｎ判定部、２６ｂ  ＩＦＡＧＣ、２７  Ｄ／Ａコンバータ（ＤＡＣ）、２８  増幅器（ＡＭＰ）、２９  スピーカ（ＳＰ）、３１  レベル検出部、３１ａ〜３１ｃ  信号波用ＢＰＦ、３１ｄ〜３１ｆ  レベル検出器、３２  マイクロコンピュータ（マイコン）、３３  ＲＦレベル検出器、４１  デジタルシグナルプロセッサ（ＤＳＰ）、４２  ビットエラーレート（ＢＥＲ）判定部。
【図１】
2005278122.tif 000003
【図２】
2005278122.tif 000004
【図３】
2005278122.tif 000005
【図４】
2005278122.tif 000006
【図５】
2005278122.tif 000007
【図６】
2005278122.tif 000008
【図７】
2005278122.tif 000009
【図８】
2005278122.tif 000010
【図９】
2005278122.tif 000011